(57)【特許請求の範囲】
【請求項１】
バイオリン又はビオラと共に用いるためのショルダーレストであって、
（ａ）上面部と反対側の底面部、第一の端部と反対側の第二の端部、そして二つの対向する側面縁部を含むブリッジと；
（ｂ）バイオリン又はビオラの本体の下に一定の間隔をおいて前記ブリッジを支持するためにバイオリン又はビオラにショルダーレストを固定するための取り付け手段と；
（ｃ）前記ブリッジが、前記上面を構成する最上部ベニア、最下層を構成する底部ベニア、及び少なくとも一つの中間ベニアを含む複数の木製ベニアの積層体形状の支持ストリップを含み；
（ｄ）前記細長い形状のブリッジに対して前記ストリップの何枚かのベニアはほぼ縦方向に配向した木目を有し、及び何枚かのベニアはほぼ横方向に木目を有し；及び
（ｅ）前記底部ベニアに固く固定されソフトパッド層と
からなることを特徴とするショルダーレスト。
【請求項２】
前記ストリップの隣接するベニアが、細長い形状のブリッジに対してほぼその縦方向とほぼ横方向に交互に配向した木目を有する請求項１に記載のショルダーレスト。
【請求項３】
前記ベニアの数が奇数である請求項１に記載のショルダーレスト。
【請求項４】
最上部ベニアの木目が、前記ブリッジに対してほぼ縦方向に配向している請求項１に記載のショルダーレスト。
【請求項５】
底面部を構成するベニアの木目が、前記ブリッジのほぼ縦方向に配向している請求項１に記載のショルダーレスト。
【請求項６】
最上ベニアの木目がブリッジに対してほぼ縦方向に配向しており、及び底面部を構成するベニアの木目がブリッジに対してほぼ縦方向に配向している請求項１に記載のショルダーレスト。
【請求項７】
ブリッジの長さ方向においてその大部分が、上面部が凸状にアーチをなし、底面部が凹状にアーチをなすように縦方向にアーチを形成している請求項１に記載のショルダーレスト。
【請求項８】
ブリッジの長さ方向においてその大部分が、縦方向にアーチをなす区分であり、その区分の上面部が凸状にアーチをなし、底面部が凹状にアーチをなす請求項１に記載のショルダーレスト。
【請求項９】
上面部が、ブリッジの各々の端部に、取り付け手段を設けるのに適した平らな底でグルーブの幅に対してわずかな深さの浅い溝を縦方向に有している請求項１に記載のショルダーレスト。
【請求項１０】
各々の溝の深さが、最上部の二つのベニア層の厚みに対応しており、それにより溝の底面を構成するベニアの木目が、最上部ベニアの木目の方向とほぼ同じ方向にある配向されている請求項９に記載のショルダーレスト。
【請求項１１】
バイオリン又はビオラのブリッジを製造する場合に使用する支持ストリップであって、
（ａ）上面部と反対側の底面部、第一の端部と反対側の第二の端部、そして二つの対向する側面縁部を含み；
（ｂ）上記上面部が、バイオリン又はビオラに対して支持ストリップを固定するための取り付け手段を付設しやすく設けられており；
（ｃ）上記支持ストリップが、前記上面部を構成する最上部ベニアと、底面部を構成する積層体の最下層である底部ベニアと、少なくとも一つの中間ベニアとを含む複数の木製ベニアの積層体であり；
（ｄ）積層体の何枚かのベニアはほぼ縦方向に配向した木目を有し、積層体の何枚かのべニアは前記細長いストリップに対してほぼ横方向に木目を有し；及び（ｅ）該ストリップが、上面部がほぼ凸状に湾曲し、底面部がほぼ凹状に湾曲して縦方向にアーチ形に湾曲している；
ことを特徴とする支持ストリップ。
【請求項１２】
前記積層体の隣接するベニアが、ストリップの長さ方向に対してほぼその縦方向とほぼ横方向に交互に配向した木目を有する請求項１１に記載の支持ストリップ。
【請求項１３】
最上部のベニアが、前記ストリップに対してほぼ縦方向に配向した木目を有する請求項１１に記載の支持ストリップ。
【請求項１４】
積層体のベニアの数が奇数であり、その最上部のベニアが支持ストリップに対してほぼ縦方向に配向した木目を有する請求項１２に記載の支持ストリップ。
【請求項１５】
ベニアの数が奇数である請求項１２に記載の支持ストリップ。
【請求項１６】
ベニアの数が７である請求項１４に記載の支持ストリップ。
【請求項１７】
上面部に、各々の支持ストリップの端部において、バイオリン又はビオラに対して支持ストリップを固定するための取り付け手段の一部を付設するのに適し、平らな底で縦方向にその深さが溝の幅に対してわずかである浅い溝が設けられている請求項１１に記載の支持ストリップ。
【請求項１８】
溝の深さが、最上の二つのベニアの厚みにほぼ対応しており、それにより各溝の平らな底面を構成するベニアが、ストリップに対してほぼ縦方向に配向した木目を有している請求項１７に記載の支持ストリップ。
【発明の詳細な説明】
【０００１】
【発明の属する技術分野】
本発明は、バイオリン又はビオラショルダーレストに関し、特にバイオリン又はビオラショルダーレストの木製ベースあるいはブリッジに関するものである。
【０００２】
【従来の技術】
バイオリン又はビオラショルダーレストの木製ベースは当該技術分野でよく知られている。それらは美しい外観を与え又比較的軽量である。
米国特許第１０７９３８６号明細書（Medakovic）、米国特許第２０６４９２５号明細書（Kolitsch）及び米国特許第２４８９１０１号明細書（Mills）は、他の材料の中から、例えば、木からショルダーレストを作ることができることを開示している。米国特許２５９１１６４号明細書（Klein）および２７４７４５２号明細書（Goldberger）はベルベットで覆われた木製部材からなるバイオリンショルダーレストを開示している。
【０００３】
公知の木製のショルダーレストは、バイオリンに対してブリッジを固定するための締め付け部材をベースの両端部に持つ細長い木製のブリッジやベースを有する。それらは所望の形に加工された一つの木片から作られている。ブリッジが非常に堅くそのためにバイオリンを固定するために締め付け部材を保持するための端部部材が唯一柔軟な部材であり、この部分がバイオリンにショルダーレストを装着している間、変型してしまうという不都合が生じる。このように部材に変型が生じることによりショルダーレストの装着にゆるみが生じる場合がある。一つの木片からなるショルダーレストブリッジは、一般にブリッジタイプのショルダーレストのでは縦方向にアーチをなすようにベースを加工するとき、木目がその表面に入り込むので外観上、好ましくないものに仕上がる場合がある。その上、一つの木片から作られるベースは、隠れた構造的な欠陥がショルダーレストが用いられるまで発見されずに存在するかもしれないので信頼性に欠ける。
【０００４】
バイオリンショルダーレストの利用者は通常バイオリン奏者の肩において使用するとき、ベースはある柔軟性を有していることを望む。この柔軟性は、バイオリンに対してショルダーレストを取り付けるのにより都合がよいばかりでなく、バイオリンを弾いている間はより心地良い支えとなる。しかしながら、柔軟性が過ぎると、特に奏者がレストの高さを非常に低く調整した場合、弾いている間ベース部材がバイオリンの本体の底部をこするようになる。また柔軟性が過ぎると、バイオリンに対してショルダーレストを当てている時の締付け力が不足してバイオリンから外れてしまう場合があり、望ましくない。
【０００５】
【発明が解決しようとする課題】
本発明の目的は、視覚的に美しく同時に適度な柔軟性と強さを有する木製のベース又はブリッジを有する改良されたショルダーレストを提供することである。
【０００６】
【課題を解決するための手段】
本発明にではバイオリン又はビオラのベース又はブリッジは、木製の積層体として製造される。絶対的な必須要素ではないが、積層体の最上部のベニアはブリッジに対してほぼ縦方向に配向した木目を有していることが好ましい。奇数枚の木の層は、ベニアの木目が細長いブリッジに関して縦方向と横方向とに交互に配向するように積層され、ブリッジの上面のベニアとブリッジの底面のべニアは、両方ともベースの一方の端部から他方の端部にほぼ縦方向に配向した木目を有するように積層されるのが好ましい。残りのべニア層はほぼ縦方向とほぼ横方向に交互に配向した木目を有している。当業者であれば、バイオリンショルダーレストの殆どのブリッジはわずかにアーチ状にカーブした形の輪郭となるように形付けられるので、ほぼ縦方向の配向は達成できるが、正確にベニアの木目を縦方向に作ることができないことを認識するはずである。
【０００７】
本発明は、
（ａ）上面部と反対側の底面部、第一の端部と反対側の第二の端部、そして二つの対向する側面縁部を含むブリッジと、；
（ｂ）バイオリン又はビオラの本体の下とブリッジの間に一定の間隔を保ち（本体に対してほぼ横方向に配置され）前記ブリッジを着脱可能に支持するためにバイオリン又はビオラにショルダーレストを固定するための取り付け手段と；
（ｃ）前記ブリッジが、前記上面を構成する最上部のベニアと、最下層を構成する底部ベニアと、少なくとも一つの中間ベニアとを含む複数の木製ベニアの積層体の形態にある支持ストリップを含み；
（ｄ）前記細長い形状のブリッジに対して前記ストリップの何枚かのベニアはほぼ縦方向に配向した木目を有し、及び何枚かのベニアはほぼ横方向に配向した木目を有し；及び
（ｅ）前記底ベニアに固く固定したソフトパッド層と
からなるバイオリン又はビオラに用いるためのショルダーレストを提供する。
【０００８】
また本発明では、
（ａ）上面部と反対側の底面部、第一の端部と反対側の第二の端部、そして二つの対向する側面縁部を含み；
（ｂ）上記上面部が、バイオリン又はビオラに対して支持ストリップを固定するための取り付け手段を付設しやすく設けられており；
（ｃ）上記支持ストリップが、前記上面部を構成する最上部ベニアと、底面部を構成する積層体の最下層である底部ベニアと、及び一枚の中間ベニアとを含む複数の木製ベニアの積層体であり；
（ｄ）積層体の何枚かのベニアはほぼ縦方向に配向した木目を有し、積層体の何枚かのべニアは前記細長いストリップに対してほぼ横方向に木目を有し；及び（ｅ）該ストリップが、上面部がほぼ凸状に湾曲し、底面部がほぼ凹状に湾曲して縦方向にアーチ形に湾曲している；
バイオリン又はビオラのブリッジを製造する場合に使用する支持ストリップを提供する。
【０００９】
【発明の実施の形態】
添付の図面を参照しながら、本発明の典型例を用いて説明する。なお、図において、ブリッジをバイオリンに取り付けるための取り付け手段は破線で示されており、従来からこの分野では多くの異なった機構のものが知られており、本発明においても使用することができる。その上、取り付け手段自体は本発明の概念の一部分を構成するものではない。
【００１０】
ブリッジ１０は、実質的に平坦で縦方向に凸状のアーチをなす上面部１１とこれとは反対側で縦方向に凸状のアーチをなす下面部１２を有する。ブリッジ１０は、平面図として細長く、わずかにＣ字型に湾曲した輪郭を有する（図４参照）。ブリッジ１０は第一の端部１３とその反対の第二の端部１４を有する。図１及び図２が最もよく示しているが、ブリッジ１０は第二の端部１４から第一の端部１３の方向にわずかに狭くなっている。参照番号１５及び１６は、ブリッジの対向する両側面縁部を示す。側面縁部１５の輪郭は、凹状にアーチをなし、その反対側の側面縁部１６の輪郭は凸状のアーチをなしている。
【００１１】
良く知られているようにブリッジの両端部は適当な取り付け機構を収容するように形成されている。このような取り付け機構は非常に多くのものが存在している。それらの中の一つがカナダ特許第１２９０９６１号（Ｋｕｎ）に開示されている。それを、参考例としてここで挙げ、図１にブリッジ１０の各々の端部にその一つが締金（クランプ）Ｃ１とＣ２として示す。この機構は、必要に応じて、従来技術に開示されているあるいは従来技術から自明の他の多くの機構により代換え可能である。
例えば、固定手段をブリッジの最上面の中央部に固定してもよい。本明細書でいう「取り付け手段」と言う用語は、従って開示されている態様とは異なる多くの異なった装置を含むように広く解釈される。
【００１２】
本発明のブリッジの態様において、取り付け手段にはまた第二の端部１４に浅い溝１７と最初の端部１３に別の同様なわずかに狭い浅い溝１８が設けられている。溝１７の底面からねじ込みピン１９が突出しており、同様に溝１８の底面からもねじ込みピン２０が突出している。溝１７と１８の幅は、使用する特別な締金装置に合わせて決められる。溝は省略することも可能である。
【００１３】
ブリッジ１０は、ブリッジの支持構造２１を形成する木製ベニアの積層体、及び支持構造２１（これはまた支持ストリップ２１として参照される）の下面に接着剤で固定された発泡ラバーあるいはそれに類似のバッド２２から構成されている。
図示の態様において、ストリップ２１は、最上ベニア２３と底ベニア２９を含むベニア２３-２９の７つのベニア層から作られている。図２及び図３に最もよく示されるように、図２は、隣接するベニアの木目が、一つのベニアの木目、好ましくは最上ベニア２３は、ブリッジ１０のほぼ縦方向に伸びており、次の中間ベニア２４の木目はほぼ反対に向いており、次のベニア２５は、再びほぼ縦方向に伸びており、そして底ベニア２９は、その木目がブリッジ１０のほぼ縦方向に配向している。
【００１４】
使用されるベニアの積層順序と数は任意である。ベニアの数は、利用するベニアの厚さ、使用する木の種類、ストリップ２１に必要とされる強度により変えてもよい。図面に示す模範的な積層体は、全厚みが約０．１７５インチの支持ストリップとなるように約０．０２５インチの厚みを有する７枚のベニアから構成されている。最上ベニア２３の木目は、美観的効果を与えるように、ブリッジ１０の縦方向に配向していることが好ましい。図示するように、ブリッジ１０は、縦方向にアーチ形をなし、平面においてＳ字形状に形成されている。ブリッジ１０の必要強度は、ベニアの総数を増加させることにより達成できるが、ベニア２３、２５、２７及び２９のような縦方向の配向をもつベニアの数が２４、２６および２８のような反対の配向を持つベニアより多い場合に、より強度が増すことが確認されている。但し、前述したように、ベニアの数と順序は任意である。
【００１５】
図示の態様において、模範例として示した最上ベニア２３は、ソフトカーリーメイプルベニアであり、ソフトカーリーメイプルウッドはしばしばバイオリンのボディの底面に使用される。残りの２４-２９のベニアは、すべて桜の木である。ベニアの交互の層の数や配置により、木の種類はまた任意であり、広く様々な異なった種類のものを使用することができる。
【００１６】
図５から図９は、支持ストリップ２１の製造工程の基本形を示す。
最初の工程では、約２．３インチ×１０インチの大きさに予め切断された矩形のベニアシートを用意する。これらのシートは、前記のように木目が縦方向とよこに交互になるように予め切断される。切断されたベニアシートの大きさは、勿論、支持ストリップ２１に必要とされるされる最終の大きさにより決まる。
切断されたベニアの表面には接着材を層状に塗布する。例えば、リー・バレー・キャビネットメイカーズ・グリューホーミュラー２０２Ｇの名前で市販されているポリビニルアセテート樹脂エマルジョン接着剤を用いることにより、よい結果が得られた。接着材の層３０を最上ベニア２３の下側と底ベニア２９の上面に塗った。残りのベニア２４―２８には、その両面に接着材層３０を設けた。接着材層面を持つベニアを次いで平らな積層体３１（図６）となるように積み重ねた。
【００１７】
次いで積層体３１を上型３２と下型３３を持つ圧力ジグの中に置いた。上型３２は、カーブした形の下側表面３４を持ち、下型３３の上側表面は、それに対応するように型付けされた表面３５を有する。図７に示すように、表面３４及び３５は緩やかなＳ字形状の縦方向にアーチ状をなす形を有している。
積層体３１を表面３４と３５との間に置き、型３２と３３を積層体３１が同じ縦方向にアーチ形状をなすように互いに加圧した。積層体３１を約１２時間ジグにより加圧した。アーチ状の中間製品３６（図８）を得た。次いで接着材が固化するのに十分な時間を取るために更に約１２時間乾燥状態に置いた。
【００１８】
次に、中間製品３６の側面と端部を図４に示す輪郭となるように加工した。上面部１１の細長いグルーブ１７、１８に機械加工を施した。グルーブ１７、１８の好ましい深さは、最上層の二つのベニア２３、２４の厚みに対応しているのでグルーブ１７、１８の平らな底面はベニア２５により形成されており、最上ベニア２３の木目の方向と同じ方向に配向した木目を有している。
【００１９】
ストリップに、ねじ込みピン１９、２０、好ましくはストリップへ強く固定できるようにヘッドを有し、ぎざぎざの付いた表面を持つタイプのものを取り付けるための穴３７、３８（図９）を空けた。
ストリップ３１の上面部１１に、バイオリンのボディの底面の色に似せるようにニスを塗った。次いで発泡ラバーパッドをコンタクトセメントを使用して底のベニア層２９の下面に貼りつけた。ブリッジ１０に上記Ｋｕｎ特許に示したものと同様な締金Ｃ１、Ｃ２を設けた。その結果、低重量であり、そしてブリッジがバイオリン本体の底面に当たっているところでのブリッジの過剰な変形を防ぐのに十分な強度を維持できるような弾性を有する所望のブリッジが得られた。
ストリップブリッジ１０の実際的な形は、ブリッジが利用されるショルダーレストのタイプによることは当業者であれば認識できる。特にショルダーレストの締金材のタイプは、ストリップの構造の変化に対応する。しかし、このような変化は、前記の態様からは離れているが、本発明の従属クレームに開示されているように本発明の範囲から逸脱するものではない。
【００２０】
【発明の効果】
本発明のショルダーレスト用ブリッジは、複数枚の木製ベニアの積層体からなるため、軽量で適度な柔軟性と強さを有する共に視覚的にも美しく、従って、ショルダーレストを取り付けるのに都合がよく、また使用感のよい改良されたショルダーレストを提供することができる。
【図面の簡単な説明】
【図１】発明に従うバイオリンショルダーレストのブリッジの側面図を示す。
【図２】図１のブリッジを上から見た図（平面図）であって、その上面の一部を切り取った様子を示す。
【図３】図２のlll-lllの切断線に沿って見た拡大断面図を示す。
【図４】図１のブリッジの平面図を示す。
【図５】
【図６】
【図７】
【図８】
【図９】本発明のブリッジの支持ストリップを作るための好ましい方法を示すための工程図を示す。
【符号の説明】
１０  ブリッジ
１１  上面部
１２  底面部
１３  第一の端部
１４  第二の端部
１５、１６  側面縁部
１７、１８  溝
１９、２０  ねじ込みピン
２１  支持構造（支持ストリップ）
２２  パッド
２３  最上ベニア
２４、２５、２６、２７、２８  中間ベニア
２９  底ベニア
３０  接着材層
３１  積層体
３２  上型
３３  下型
３４  型の上側表面
３５  型の下側表面
３６  アーチ状の中間製品
３７、３８  穴
【図１】
0004531184.tif 000002
【図２】
0004531184.tif 000003
【図３】
0004531184.tif 000004
【図４】
0004531184.tif 000005
【図５】
0004531184.tif 000006
【図６】
0004531184.tif 000007
【図７】
0004531184.tif 000008
【図８】
0004531184.tif 000009
【図９】
0004531184.tif 000010